【手続補正書】
【提出日】平成15年10月21日(2003.10.21)
【手続補正１】
【補正対象書類名】明細書
【補正対象項目名】特許請求の範囲
【補正方法】変更
【補正の内容】
【特許請求の範囲】
【請求項１】
カラオケデータを獲得するカラオケデータ獲得手段と、
獲得した前記カラオケデータに基づいて演奏する演奏手段と、
演奏中のカラオケ曲の演奏終了から、次のカラオケ曲の演奏開始までの時間を検出する間隔時間検出手段と、
この間隔時間検出手段により検出された間隔時間が所定時間よりも長い場合、車両内に配置された音楽演奏装置に、演奏を指令する演奏指令手段と、
を具備することを特徴とする車載カラオケ。
【請求項２】
前記演奏指令手段は、前記間隔時間検出手段により検出された時間に応じて、異なる音楽演奏装置に演奏を指令する、
ことを特徴とする請求項１に記載の車載カラオケ。
【請求項３】
カラオケ曲の予約を行う予約手段と、
この予約手段で予約されたカラオケ曲についての、カラオケデータを獲得するカラオケデータ獲得手段と、
獲得した前記カラオケデータに基づいて演奏するカラオケ演奏手段と、
予約されたカラオケ曲のカラオケデータが獲得済みもしくは獲得中であるか否かに応じて、車両内に配置された異なる前記音楽演奏装置による曲間演奏曲の演奏の出力を制御する制御手段と、
を具備することを特徴とする車載カラオケ。
【手続補正２】
【補正対象書類名】明細書
【補正対象項目名】０００２
【補正方法】変更
【補正の内容】
【０００２】
【従来の技術】
個室内などでカラオケを楽しむことが可能なカラオケボックス等が広く普及している。このような専用の個室に設置されたカラオケ装置では、次曲以降に歌う曲の予約機能を備えており、次の曲を予約しておくことで、曲と曲との間隔を開けずに継続的に歌うことができるようになっている。
そして、カラオケボックスのカラオケ装置において、曲の予約が未だされていない場合には次の曲が指定されるまでの間、ＬＤなどの画像及び有線による音楽を流すことで、カラオケの雰囲気を継続させるようにしている。


【手続補正３】
【補正対象書類名】明細書
【補正対象項目名】０００３
【補正方法】変更
【補正の内容】
【０００３】
【発明が解決しようとする課題】
ところで、家庭内で新曲を素早く歌うために、電話回線を使用してカラオケのデータを受信し、家庭のテレビで演奏や歌詞等を出力する通信カラオケが普及しつつある。このような通信カラオケにおいても次曲以降の予約機能を備えており、この通信カラオケを、携帯電話等を通信手段として、車内で利用する方法も考えられる。
しかし、通信カラオケでは、カラオケ曲が指定されてから通信回線の接続とカラオケデータのダウンロードを行い、その後に演奏が開始されるため、通常３０秒程度の時間間隔が必要になる。このため、連続して曲を予約していないと曲と曲との間隔が開いてしまうという問題がある。特に車内で通信カラオケをしている場合には、カラオケボックスと違ってＬＤや有線がないため、次の曲の演奏が開始されるまで無音状態が続き寂しいものとなってしまうという問題がある。
また車内での無線電話等を利用した通信は、まだ電波が安定しないため、カラオケデータのダウンロード途中で通信が切れてしまうことがあり、切れてからは何も音楽が無くなってしまうという問題もある。


【手続補正４】
【補正対象書類名】明細書
【補正対象項目名】０００５
【補正方法】変更
【補正の内容】
【０００５】
【課題を解決するための手段】
請求項１に記載の発明では、カラオケデータを獲得するカラオケデータ獲得手段と、獲得した前記カラオケデータに基づいて演奏する演奏手段と、演奏中のカラオケ曲の演奏終了から、次のカラオケ曲の演奏開始までの時間を検出する間隔時間検出手段と、この間隔時間検出手段により検出された間隔時間が所定時間よりも長い場合、車両内に配置された音楽演奏装置に、演奏を指令する演奏指令手段と、を車載カラオケに具備させて前記目的を達成する。
請求項２に記載した発明では、請求項１に記載した車載カラオケにおいて、前記演奏指令手段は、前記間隔時間検出手段により検出された時間に応じて、異なる音楽演奏装置に演奏を指令する。
請求書３に記載した発明では、カラオケ曲の予約を行う予約手段と、この予約手段で予約されたカラオケ曲についての、カラオケデータを獲得するカラオケデータ獲得手段と、獲得した前記カラオケデータに基づいて演奏するカラオケ演奏手段と、予約されたカラオケ曲のカラオケデータが獲得済みもしくは獲得中であるか否かに応じて、車両内に配置された異なる前記音楽演奏装置による曲間演奏曲の演奏の出力を制御する制御手段と、を車載カラオケに具備させて前記目的を達成する。


【手続補正５】
【補正対象書類名】明細書
【補正対象項目名】０００６
【補正方法】変更
【補正の内容】
【０００６】
【発明の実施の形態】
以下、本発明の車載カラオケにおける一実施形態について、図面を参照して詳細に説明する。
（１）第１の実施形態の概要
この第１の実施形態では、カラオケ演奏の曲と曲との間が所定の時間を経過した場合や、通信が途中で切れてしまいカラオケの演奏ができなくなった場合等に、車内に通常装備しているカセットやＣＤ等からの音楽や、車載カラオケ本体内の記憶装置に格納した曲（本体曲）を次のカラオケ演奏が開始されるまでの間の曲間演奏曲として一時的に流すようにしたものである。これにより、ユーザは、カラオケの演奏がされていない場合でも車内の雰囲気を維持することができる。  この場合、曲間の演奏時間Ｔを検出し、所定時間よりも長い場合にはＣＤ曲等を使用し、短い場合には本体曲を使用する。このように曲間演奏時間の長さに応じて、曲間演奏曲の演奏媒体を変えることで、ユーザは次曲までどの程度の時間が必要かを認識することができる。また、次曲が予約されていれば曲間演奏時間が短いので、本体曲が曲間演奏曲として演奏されることになる。このため、現在演奏中の曲が終了した時点で、次曲が予約されているか否かについて、曲間演奏曲が本体曲か、ＣＤ曲等かによって区別することができる。


【手続補正６】
【補正対象書類名】明細書
【補正対象項目名】０００７
【補正方法】変更
【補正の内容】
【０００７】
（２）実施形態の詳細
図１は、本実施形態の車載カラオケをナビゲーション装置に適用した場合の構成を示すブロック図である。
このナビゲーション装置は、図１に示すように、装置全体の制御・演算処理を行うメイン処理装置１を備えている。
このメイン処理装置１は、ナビゲーションによる経路案内処理や通信処理等の各種処理を行うメイン処理部１１を有している。このメイン処理部１１には、通信部１２と、カラオケ演奏部１３と、音声制御部１４と、曲間演奏曲記憶部１５とがコントロールバス１６により接続されている。
また、メイン処理部１１には、コントロールバス１６を介して、音響装置８が接続されている。この音響装置８としては、ＦＭ、ＡＭ等のラジオ８１、ＭＤ８２、カセット８３、ＣＤ８４の各プレーヤー、音楽を演奏するその他の演奏装置（図示しない）があり、メイン処理部１１は、曲間演奏曲として指定された装置からの演奏の出力を制御するようになっている。なお、本実施形態における曲間演奏曲記憶部１５及びその演奏を行うカラオケ演奏部１３は、音響装置８と別個に記載されているが、本発明における音響装置に含まれるものである。
メイン処理部１１は、後述のような各種の処理を行うＣＰＵ（中央処理装置）、その各種の処理を行うためのプログラムが格納されているＲＯＭ（リード・オンリ・メモリ）、ワーキングメモリとしてのＲＡＭなどから構成され、図面ではこれらは省略されている。


【手続補正７】
【補正対象書類名】明細書
【補正対象項目名】００１７
【補正方法】変更
【補正の内容】
【００１７】
次にこのように構成された車載カラオケの動作について説明する。
図２は、車載カラオケによる演奏曲の予約、ダウンロード、演奏、及び曲間演奏曲の演奏に関するタイムチャートを表したものである。
今、図２に示されるように、ユーザがカラオケの使用を開始し、曲ａ、曲ｂ、曲ｃの順に予約するものとし、音響装置８としてＣＤ８４が指定されている場合について説明する。
ユーザは、入力装置２からカラオケの使用を指定すると、この時点では予約がされていないので、ＣＤ８４の曲間演奏曲が音声出力装置７から出力される。
そして、曲ａについての曲番号を入力装置２から入力すると（曲ａの予約）、メイン処理部１１は、通信部１２および、携帯電話６を介して、カラオケデータを提供する情報提供局に自動ダイヤルすることで通信回線を確立し、ユーザが指定した曲ａの曲番号を情報提供局に送信する。そして、曲ａのカラオケデータを通信部１２を介してダウンロードし、メイン処理部１１内のカラオケデータ格納部に格納する。
メイン処理部１１は、曲ａのカラオケデータを所定量だけダウンロードした時点で、ＣＤ８４による曲間演奏曲の演奏を終了し、曲ａについての演奏を開始する。曲ａについての全カラオケデータのダウンロードが終了した時点で、通信を終了する。


【手続補正８】
【補正対象書類名】明細書
【補正対象項目名】００２１
【補正方法】変更
【補正の内容】
【００２１】
次に、メイン処理部１１は、算出した曲間演奏時間Ｔが所定時間ｐよりも短いか否かについて判断し、短い場合（ステップ１５；Ｙ）には、曲間演奏曲記憶部１５に格納されている本体曲を曲間演奏曲として音声出力装置７から出力する（ステップ１６）。
一方、曲間演奏時間Ｔが所定時間ｐよりも長い場合（ステップ１５；Ｎ）、及び、ステップ１１において次の予約曲がない場合、ＣＤ８４を曲間演奏曲として音声出力装置７から出力する（ステップ１７）。


【手続補正９】
【補正対象書類名】明細書
【補正対象項目名】００２４
【補正方法】変更
【補正の内容】
【００２４】
次に第２の実施形態について説明する。
この第２の実施形態の構成は、第１の実施形態で説明した図１の車載カラオケと同様なので、その説明は省略し曲間演奏曲の演奏について説明する。
図４は、第２の実施形態における車載カラオケによる演奏曲の予約、ダウンロード、演奏、及び曲間演奏曲の演奏に関するタイムチャートを表したものである。
第１の実施形態では曲間演奏時間Ｔの長さによってＣＤ曲と本体曲を区別して曲間演奏曲を出力するようにしたが、この第２の実施形態では予約曲の演奏開始前の各種状態に応じて、異なる媒体からの曲間演奏曲を出力するようにしたものである。
具体的には、図４に示すように、予約曲のダウンロード中又はダウンロード済みの場合には本体曲を曲間演奏曲として演奏し、次曲の曲のダウンロードが開始されるまではＣＤ８４等の音響装置８の内の指定された演奏装置により曲間演奏曲を演奏する。
例えば、カラオケ曲ｂの演奏が終了した時点では、予約がないので指定されているＣＤ８４によりＣＤ曲を曲間演奏曲として演奏する。そして、次の予約曲ｃが予約された場合、そのダウンロードが開始する時刻ｔｃ３から次の予約曲ｃの演奏が開始する時刻ｔｃ２までの間、本体曲を曲間演奏曲として出力する。


【手続補正１０】
【補正対象書類名】明細書
【補正対象項目名】００２５
【補正方法】変更
【補正の内容】
【００２５】
図５は、第２の実施形態の車載カラオケにおける、曲間演奏曲演奏ルーチンを表したフローチャートである。
メイン処理部１１は、現在カラオケの演奏中であるか否かを判断し（ステップ５１）、演奏中であれば（Ｙ）、曲間演奏曲の演奏をすることなくメインルーチンにリターンする。
一方、カラオケの演奏中でない場合（ステップ５１；Ｎ）、次の予約曲についてのダウンロード中、又は予約曲のダウンロードが済んでいるか否かについて判断する（ステップ５２）。
ダウンロード中又は済みである場合（ステップ５２；Ｙ）には本体曲を曲間演奏曲として演奏し（ステップ５３）、そうでない場合（ステップ５２；Ｎ）には音響装置８の内指定された装置により曲間演奏曲を出力する（ステップ５４）。